(57)【特許請求の範囲】
【請求項１】
導電性を有する振動体と、
前記振動体を挟んで対向し、前記振動体と間隔をあけて配置された一対の電極と、
防水性及び絶縁性を有するフィルムと該フィルムの少なくとも一方の面の全面に形成された導電膜を有し、前記振動体及び前記一対の電極を挟んで対向する一対のカバーと、
前記一対のカバーと前記一対の電極との間にそれぞれ位置し、絶縁性を有し音が通過する一対のスペーサと
を有し、
前記一対のカバー同士は、電気的に接続され、前記一対の電極の一方に第１音響信号を供給し、前記一対の電極の他方に前記第１音響信号の極性を反転した第２音響信号を供給する駆動回路のグランドに接続されること
を特徴とする静電型スピーカ。
【請求項２】
前記一対のカバーの縁同士が固着され、前記一対のカバー同士の間にある空間に前記振動体と前記一対の電極が位置していることを特徴とする請求項１に記載の静電型スピーカ。
【請求項３】
前記駆動回路は、入力された信号を増幅する増幅回路を有し、
前記第１音響信号は、前記増幅回路に入力された音響信号が前記増幅回路において同相で増幅された信号であり、前記第２音響信号は、前記増幅回路に入力された前記音響信号が前記増幅回路において前記音響信号とは極性を逆にして増幅された信号であり、
一次側の一方の端子に前記音響信号が入力され、一次側の他方の端子が接地され、二次側の一方の端子が、前記増幅回路に接続され、二次側の他方の端子が、前記駆動回路のグランドに接続された絶縁トランスを有していること
を特徴とする請求項１又は請求項２に記載の静電型スピーカ。
【発明の詳細な説明】
【技術分野】
【０００１】
本発明は、静電型スピーカに関する。
【背景技術】
【０００２】
特許文献１に開示されているコンデンサ型のヘッドホンは、振動板を固定極で挟んだ構成となっている。固定極の両面には電極箔が形成されており、表面の電極箔と裏面の電極箔は非導通となっている。また、固定極には複数の孔が設けられている。固定極において、使用者の耳側に位置する電極箔は、接地に接続されている。
【先行技術文献】
【特許文献】
【０００３】
【特許文献１】特開２００６−２７０６６３号公報
【発明の概要】
【発明が解決しようとする課題】
【０００４】
特許文献１に開示されているヘッドホンによれば、人体の耳側に位置する電極箔が接地されているため、人体の耳側に位置する電極箔に耳を近づけても感電の危険性がない。しかしながら、固定極には孔が設けられているため、汗などの液体が孔からヘッドホン内部に進入して絶縁性が低下する虞がある。
【０００５】
本発明は、上述した背景の下になされたものであり、静電型スピーカにおいて、感電を防ぎ絶縁性の低下を防ぐ技術を提供することを目的とする。
【課題を解決するための手段】
【０００６】
上述した課題を解決するために本発明は、導電性を有する振動体と、前記振動体を挟んで対向し、前記振動体と間隔をあけて配置された一対の電極と、防水性及び絶縁性を有するフィルムと該フィルムの少なくとも一方の面の全面に形成された導電膜を有し、前記振動体及び前記一対の電極を挟んで対向する一対のカバーと、前記一対のカバーと前記一対の電極との間にそれぞれ位置し、絶縁性を有し音が通過する一対のスペーサとを有し、前記一対のカバー同士は、電気的に接続され、前記一対の電極の一方に第１音響信号を供給し、前記一対の電極の他方に前記第１音響信号の極性を反転した第２音響信号を供給する駆動回路のグランドに接続される静電型スピーカを提供する。
【０００７】
本発明においては、前記一対のカバーの縁同士が固着され、前記一対のカバー同士の間にある空間に前記振動体と前記一対の電極が位置している構成であってもよい。
また、本発明においては、前記駆動回路は、入力された信号を増幅する増幅回路を有し、前記第１音響信号は、前記増幅回路に入力された音響信号が前記増幅回路において同相で増幅された信号であり、前記第２音響信号は、前記増幅回路に入力された前記音響信号が前記増幅回路において前記音響信号とは極性を逆にして増幅された信号であり、一次側の一方の端子に前記音響信号が入力され、一次側の他方の端子が接地され、二次側の一方の端子が、前記増幅回路に接続され、二次側の他方の端子が、前記駆動回路のグランドに接続された絶縁トランスを有している構成であってもよい。
【発明の効果】
【０００８】
本発明によれば、静電型スピーカにおいて、感電を防ぎ絶縁性の低下を防ぐことができる。
【図面の簡単な説明】
【０００９】
【図１】本発明の一実施形態に係る静電型スピーカの外観図。
【図２】図１のＡ−Ａ線断面図。
【図３】静電型スピーカ１の分解図。
【図４】静電型スピーカ１に係る電気的構成を示した図。
【図５】変形例に係る静電型スピーカ１の分解図。
【図６】変形例に係る駆動回路１００の電気的構成を示した図。
【図７】変形例に係る駆動回路１００の電気的構成を示した図。
【発明を実施するための形態】
【００１０】
［実施形態］
図１は、本発明の実施形態に係る静電型スピーカ１の外観図、図２は、静電型スピーカ１のＡ−Ａ線断面図である。また、図３は、静電型スピーカ１の分解図、図４は、静電型スピーカ１の電気的構成を示した図である。なお、図においては、直交するＸ軸、Ｙ軸およびＺ軸で方向を示しており、静電型スピーカ１を正面から見たときの左右方向をＸ軸の方向、奥行き方向をＹ軸の方向、高さ方向をＺ軸の方向としている。また、図中、「○」の中に「・」が記載されたものは図面の裏から表に向かう矢印を意味するものとする。また、図中、「○」の中に「×」が記載されたものは図面の表から裏に向かう矢印を意味するものとする。
【００１１】
図に示したように、静電型スピーカ１は、振動体１０、電極２０Ｕ，２０Ｌ、弾性部材３０Ｕ，３０Ｌ、スペーサ４０Ｕ，４０Ｌ、カバー５０Ｕ，５０Ｌ及び保護部材６０Ｕ，６０Ｌを有している。なお、本実施形態においては、電極２０Ｕと電極２０Ｌの構成は同じであり、弾性部材３０Ｕと弾性部材３０Ｌの構成は同じである。このため、これらの部材において両者を区別する必要が特に無い場合は、「Ｌ」および「Ｕ」などの記載を省略する。また、スペーサ４０Ｕとスペーサ４０Ｌの構成は同じであり、カバー５０Ｕとカバー５０Ｌの構成は同じであり、保護部材６０Ｕと保護部材６０Ｌの構成は同じである。このため、これらの部材においても両者を区別する必要が特に無い場合は、「Ｌ」および「Ｕ」などの記載を省略する。また、図中の振動体、電極等の各構成要素の寸法は、構成要素の形状を容易に理解できるように実際の寸法とは異ならせてある。
【００１２】
（静電型スピーカ１の各部の構成）
まず、静電型スピーカ１を構成する各部について説明する。Ｚ軸上の点から見て矩形の振動体１０は、ＰＥＴ（polyethylene terephthalate：ポリエチレンテレフタレート）またはＰＰ（polypropylene：ポリプロピレン）などの絶縁性および柔軟性を有する合成樹脂のフィルム（絶縁層）を基材とし、フィルムの一方の面に導電性のある金属を蒸着して導電膜（導電層）を形成したシート状の構成となっている。なお、本実施形態においては、導電膜は、フィルムの一方の面に形成されているが、フィルムの両面に形成されていてもよい。
【００１３】
弾性部材３０は、本実施形態においては不織布であって電気を通さず空気および音の通過が可能となっており、その形状はＺ軸上の点から見て矩形となっている。また、弾性部材３０は、弾性を有しており、外部から力を加えられると変形し、外部から加えられた力が取り除かれると元の形状に戻る。なお、弾性部材３０は、絶縁性があり、音が透過し、弾性がある部材であればよく、中綿に熱を加えて圧縮したもの、織られた布、絶縁性を有する合成樹脂を海綿状にしたものなどであってもよい。なお、本実施形態においては、弾性部材３０のＸ軸方向の長さは振動体１０のＸ軸方向の長さより長く、弾性部材３０のＹ軸方向の長さは振動体１０のＹ軸方向の長さより長くなっている。
【００１４】
スペーサ４０は、本実施形態においては不織布であって電気を通さず空気および音の通過が可能となっており、その形状はＺ軸上の点から見て矩形となっている。また、弾性部材３０は、弾性を有している。なお、本実施形態においては、スペーサ４０は、弾性部材３０と同じ素材となっているが、電気を通さず、空気及び音の通過が可能であれば弾性を備えていなくてもよい。また、本実施形態においては、スペーサ４０は、Ｘ軸方向の長さとＹ軸方向の長さが弾性部材３０と同じとなっている。
【００１５】
電極２０は、ＰＥＴまたはＰＰなどの絶縁性を有する合成樹脂のフィルム（絶縁層）を基材とし、フィルムの一方の面に導電性のある金属を蒸着して導電膜（導電層）を形成した構成となっている。電極２０は、Ｚ軸上の点から見て矩形となっており、表面から裏面に貫通する孔を複数有しており、空気および音の通過が可能となっている。なお、図面においては、この孔の図示を省略している。なお、本実施形態においては、電極２０のＸ軸方向の長さとＹ軸方向の長さは弾性部材３０と同じとなっている。
【００１６】
カバー５０は、ＰＥＴまたはＰＰなどの絶縁性を有する合成樹脂のフィルム（絶縁層）を基材とし、絶縁層の一方の全面に導電性のある金属（例えばアルミニウム）を蒸着して導電膜（導電層）を形成した構成となっている。本実施形態においてはカバー５０のＸ軸方向の長さとＹ軸方向の長さは弾性部材３０と同じとなっている。また、カバー５０の絶縁層は、防水性を有し、透湿性及び通気性が低いものが好ましい。なお、本実施形態においては、導電膜は、カバー５０の一方の面に形成されているが、カバー５０の両面に形成されていてもよい。
保護部材６０は、絶縁性を有する布である。保護部材６０は、Ｚ軸上の点から見て矩形となっており、空気及び音の通過が可能となっている。なお、本実施形態においては、保護部材６０のＸ軸方向の長さとＹ軸方向の長さは弾性部材３０と同じとなっている。
【００１７】
（静電型スピーカ１の構造）
次に静電型スピーカ１の構造について説明する。静電型スピーカ１においては、振動体１０は、弾性部材３０Ｕの下面と弾性部材３０Ｌの上面との間に配置されている。なお、振動体１０は、左右方向の縁と奥行き方向の縁から内側へ数ｍｍの幅で接着剤が塗布されて弾性部材３０Ｕと弾性部材３０Ｌに接着されており、接着剤が塗布された部分より内側は弾性部材３０Ｕと弾性部材３０Ｌに固着されていない状態となっている。
【００１８】
電極２０Ｕは、弾性部材３０Ｕの上面に接着されている。また、電極２０Ｌは、弾性部材３０Ｌの下面に接着されている。なお、電極２０Ｕは、左右方向の縁と奥行き方向の縁から内側へ数ｍｍの幅で接着剤が塗布されて弾性部材３０Ｕに接着されており、電極２０Ｌは、左右方向の縁と奥行き方向の縁から内側へ数ｍｍの幅で接着剤が塗布されて弾性部材３０Ｌに接着されている。なお、電極２０は、接着剤が塗布された部分より内側は弾性部材３０に固着されていない状態となっている。また、電極２０Ｕは、導電膜のある側が弾性部材３０Ｕに接しており、電極２０Ｌは、導電膜のある側が弾性部材３０Ｌに接している。
【００１９】
スペーサ４０Ｕは、電極２０Ｕの上面に接着されている。また、スペーサ４０Ｌは、電極２０Ｌの下面に接着されている。なお、スペーサ４０Ｕは、左右方向の縁と奥行き方向の縁から内側へ数ｍｍの幅で接着剤が塗布されて電極２０Ｕに接着されており、スペーサ４０Ｌは、左右方向の縁と奥行き方向の縁から内側へ数ｍｍの幅で接着剤が塗布されて電極２０Ｌに接着されている。なお、スペーサ４０は、接着剤が塗布された部分より内側は電極２０に固着されていない状態となっている。
【００２０】
カバー５０Ｕは、合成樹脂の基材がスペーサ４０Ｕに接するようにスペーサ４０Ｕの上面に接着されている。また、カバー５０Ｌは、合成樹脂の基材がスペーサ４０Ｌに接するようにスペーサ４０Ｌの下面に接着されている。なお、カバー５０Ｕは、左右方向の縁と奥行き方向の縁から内側へ数ｍｍの幅で接着剤が塗布されてスペーサ４０Ｕに接着されており、カバー５０Ｌは、左右方向の縁と奥行き方向の縁から内側へ数ｍｍの幅で接着剤が塗布されてスペーサ４０Ｌに接着されている。なお、カバー５０は、接着剤が塗布された部分より内側はスペーサ４０に固着されていない状態となっている。また、カバー５０の厚さは、１０μｍ前後であるのが好ましい。この厚さであれば、カバー５０を配置しても、カバー５０を配置しない場合と比較して振動体１０により生じる音の音圧が極端に低下することがない。なお、本実施形態においては、カバー５０は合成樹脂のフィルムがスペーサ４０に接するようにしてスペーサ４０に接着されるが、カバー５０の導電膜がスペーサ４０に接するようにしてスペーサ４０に接着されてもよい。
【００２１】
保護部材６０Ｕは、カバー５０Ｕの上面に接着されている。また、保護部材６０Ｌは、カバー５０Ｌの下面に接着されている。なお、保護部材６０Ｕは、左右方向の縁と奥行き方向の縁から内側へ数ｍｍの幅で接着剤が塗布されてカバー５０Ｕに接着されており、保護部材６０Ｌは、左右方向の縁と奥行き方向の縁から内側へ数ｍｍの幅で接着剤が塗布されてカバー５０Ｌに接着されている。なお、保護部材６０は、接着剤が塗布された部分より内側はカバー５０に固着されていない状態となっている。
【００２２】
（静電型スピーカ１の電気的構成）
次に、静電型スピーカ１に係る電気的構成について説明する。図４に示したように、静電型スピーカ１には、外部から音を表す音響信号が入力されるアンプ部１３０、変圧器１１０、振動体１０に対して直流バイアスを与えるバイアス電源１２０を備えた駆動回路１００が接続される。
電極２０Ｕは、変圧器１１０の二次側の端子Ｔ１に接続され、電極２０Ｌは、変圧器１１０の二次側の他方の端子Ｔ２に接続される。また、振動体１０は、抵抗器Ｒ１を介してバイアス電源１２０に接続される。変圧器１１０の中点の端子Ｔ３は、抵抗器Ｒ２を介して駆動回路１００の基準電位であるグランドＧＮＤに接続される。
アンプ部１３０には音響信号が入力される。アンプ部１３０は、入力された音響信号を増幅し、増幅された音響信号を出力する。アンプ部１３０は、音響信号を出力する端子ＴＡ１，ＴＡ２を有しており、端子ＴＡ１は、抵抗器Ｒ３を介して変圧器１１０の一次側の端子Ｔ４に接続され、端子ＴＡ２は、抵抗器Ｒ４を介して変圧器の一次側の他方の端子Ｔ５に接続されている。
カバー５０Ｕの導電膜とカバー５０Ｌの導電膜は電気的に接続され、共に駆動回路１００のグランドＧＮＤに接続される。
【００２３】
（静電型スピーカ１の動作）
次に、静電型スピーカ１の動作について説明する。アンプ部１３０に交流の音響信号が入力されると、入力された音響信号が増幅されて変圧器１１０の一次側に供給される。そして、供給された電圧によって電極２０Ｕと電極２０Ｌとの間に電位差が生じると、電極２０Ｕと電極２０Ｌとの間にある振動体１０には、電極２０Ｕと電極２０Ｌのいずれかの側へ引き寄せられるような静電力が働く。
【００２４】
具体的には、端子Ｔ２から出力される第２音響信号は、端子Ｔ１から出力される第１音響信号とは信号の極性が逆となる。端子Ｔ１からプラスの音響信号が出力され、端子Ｔ２からマイナスの音響信号が出力されると、電極２０Ｕにはプラスの電圧が印加され、電極２０Ｌにはマイナスの電圧が印加される。振動体１０にはバイアス電源１２０によりプラスの電圧が印加されているため、振動体１０は、プラスの電圧が印加されている電極２０Ｕとの間の静電引力が弱まる一方、マイナスの電圧が印加されている電極２０Ｌとの間の静電引力が強くなるため、振動体１０に加わる静電引力の差に応じて電極２０Ｌ側に吸引力が働き、電極２０Ｌ側（Ｚ軸方向と反対方向）へ変位する。
【００２５】
また、端子Ｔ１からマイナスの第１音響信号が出力され、端子Ｔ２からプラスの第２音響信号が出力されると、電極２０Ｕにはマイナスの電圧が印加され、電極２０Ｌにはプラスの電圧が印加される。振動体１０にはバイアス電源１２０によりプラスの電圧が印加されているため、振動体１０は、プラスの電圧が印加されている電極２０Ｌとの間の静電引力が弱まる一方、マイナスの電圧が印加されている電極２０Ｕとの間の静電引力が強くなるため、電極２０Ｕ側（Ｚ軸方向）へ変位する。
【００２６】
このように、振動体１０が音響信号に応じて図のＺ軸の正方向とＺ軸の負の方向に変位し(撓み)、その変位方向が逐次変わることによって振動となり、その振動状態（振動数、振幅、位相）に応じた音波が振動体１０から発生する。発生した音波は、音響透過性を有する弾性部材３０、電極２０、スペーサ４０、カバー５０及び保護部材６０を通過して静電型スピーカ１の外部に音として放射される。
【００２７】
なお、電極２０より外側にはスペーサ４０、カバー５０、保護部材６０があるため、人体が電極２０に触れることがなく、感電を防ぐことができる。さらにカバー５０Ｕの導電膜とカバー５０Ｌの導電膜は、駆動回路１００のグランドＧＮＤに接続されていて同電位となっているため、感電を防ぐことができる。また、カバー５０は防水性を備えているため、液体が電極２０や振動体１０に到達して絶縁性が低下する虞が少なくなっている。
【００２８】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００２９】
上述した実施形態においては、静電型スピーカ１は保護部材６０を備えているが、静電型スピーカ１は保護部材６０を備えていなくてもよい。
上述した実施形態においては、各部材は縁の部分に接着剤が塗布されて他の部材に接着されているが、接着剤を塗布する部分は部材の縁部分に限定されるものではない。例えば、各部材に格子状に接着剤を塗布して他の部材と接着してもよい。また、接着剤が点状に塗布された領域をマトリクス状など規則的に各部材に設けることにより他の部材と接着するようにしてもよい。
また、静電型スピーカ１において部材同士がずれないようにする方法は、接着剤で固定する方法に限定されるものではなく、例えば両面テープで部材同士をするようにしてもよい。
また、上述した実施形態においては、カバー５０は、絶縁層の全面に導電膜が形成されているが、導電膜は絶縁層の全面に形成されていなくてもよい。例えば、カバー５０の絶縁層の面に導電膜が格子状に形成されていてもよい。なお、格子の網目の大きさは、人の指が通過できない大きさであるのが好ましい。
【００３０】
上述した実施形態においては、電極２０は、フィルムの表面に導電膜を形成した構成となっているが、電極２０の構成は、この構成に限定されるものではない。例えば、導電性を有する金属板を電極２０としてもよい。また、導電性を有する糸で織られた布を矩形の形状にし、矩形の形状にされたこの布を電極２０としてもよい。また、絶縁性を有する素材（例えば、ガラスやフェノール樹脂）を板状に形成した基板上に導電膜を形成して電極２０としてもよい。
【００３１】
上述した実施形態においては、電極２０は、Ｚ軸上の点から見た形状が矩形となっているが、電極２０の形状は、矩形に限定されるものではない。例えば、円形、楕円形または多角形など、他の形状であってもよい。また、振動体１０についても、Ｚ軸上の点から見た形状は矩形に限定されるものではなく、例えば、円形、楕円形または多角形など、他の形状であってもよい。また、静電型スピーカ１の形状についても、Ｚ軸上の点から見た形状は矩形に限定されるものではなく、例えば、円形、楕円形または多角形など、他の形状であってもよい。
【００３２】
上述した実施形態においては、静電型スピーカ１は、振動体１０を電極２０Ｕと電極２０Ｌで挟む構成となっているが、静電型スピーカ１は、振動体１０の表面（または裏面）側にのみ電極２０が配置されるシングルエンドの構成であってもよい。
【００３３】
上述した実施形態においては、振動体１０を除く各部材のＸ軸方向の寸法とＹ軸方向の寸法は同じいずれも同じとなっているが、部材毎に寸法が異なっていてもよい。例えば、カバー５０のＸ軸方向の寸法とＹ軸方向の寸法については、他の部材より長くなっていてもよい。また、このようにカバー５０についてＸ軸方向の寸法とＹ軸方向の寸法が他の部材より長い場合、カバー５０Ｕの縁とカバー５０Ｌの縁を互いに接着し、カバー５０Ｕとカバー５０Ｌとの間の密閉された空間に振動体１０、弾性部材３０及び電極２０が位置するようにしてもよい。この構成によれば、振動体１０、弾性部材３０及び電極２０が位置する空間は密閉されているため、電流が流れる部分に外部から液体が到達するのが防がれ、絶縁性の低下を防ぐことができる。
また、電極２０のＸ軸方向の長さとＹ軸方向の長さは、振動体１０のＸ軸方向の長さとＹ軸方向の長さより長く、弾性部材３０のＸ軸方向の長さとＹ軸方向の長さより短い構成であってもよい。
【００３４】
上述した実施形態においては、電極２０と振動体１０との間に弾性部材３０を配置することにより電極２０と振動体１０とが接触しないようにされているが、電極２０と振動体１０とが接触しないようにする構成は、上述した実施形態の構成に限定されるものではない。例えば、絶縁体で形成されたスペーサを電極２０と振動体との間に配置することにより、電極２０と振動体１０とが接触しないようにしてもよい。図５は、本変形例に係る静電型スピーカの分解図である。スペーサ３１Ｕ，３１Ｌは、剛性がある合成樹脂の絶縁体で形成されており、その形状は図５に示したように矩形の枠の形状となっている。なお、本実施形態においては、スペーサ３１Ｕとスペーサ３１Ｌの高さは、いずれも同じとなっている。
静電型スピーカ１において電極２０Ｌは、スペーサ３１Ｌの下面に固定され、電極２０Ｕは、スペーサ３１Ｕの上面に固定される。そして、スペーサ３１Ｌの上面に振動体１０が固着され、振動体１０の上にスペーサ３１Ｕの下面が固着される。
なお、本変形例においては、振動体１０はたるみが生じないように張力を掛けられた状態でスペーサ３１Ｕとスペーサ３１Ｌの枠の間に固定される。この構成によれば、電極２０と振動体１０との間は、スペーサ３１Ｕ，３１Ｌにより距離が保たれ、振動体１０が振動しても電極２０に接触することがない。
【００３５】
本発明においては、駆動回路１００の構成を図６に示した構成としてもよい。なお、図６においては、上述した実施形態と同じ構成であるものについては同じ符号を付し、説明を省略する。
図６において変圧器１１１は、絶縁変圧器（絶縁トランス）であり、一次側と二次側とが電気的に絶縁されている。変圧器１１１の一次側の一方の端子Ｔ４１には音響信号が入力される。また、変圧器１１１の一次側の他方の端子Ｔ５１は、大地に接地される。また、変圧器１１１の二次側の一方の端子Ｔ１１は、アンプ部１３０に接続されており、変圧器１１１の二次側の他方の端子Ｔ２１は、駆動回路１００のグランドＧＮＤとアンプ部１３０に接続されている。
【００３６】
ＡＣ（Alternating Current）アダプタ２００は、スイッチング方式のＡＣアダプタであり、交流プラグ２０２から得た交流電圧を整流して直流電圧に変換する。この整流により得られた直流電圧が、アンプ部１３０の電源となる。ＡＣアダプタ２００の出力のプラス側はアンプ部１３０に接続され、マイナス側は駆動回路１００のグラウドＧＮＤに接続される。また、ＡＣアダプタ２００の出力のマイナス側と交流プラグ２０２の接地側の導線は、コンデンサＣ１を介して接続されている。コンデンサＣ１の容量は、１０００ｐＦ以下であるのが好ましく、この容量以下であれば、人体が電極２０に接触しても人体に流れる電流を抑えることができる。
なお、駆動回路１００においては、駆動回路１００のグランドＧＮＤが高いインピーダンスで接地されていれば良く、図７に示した構成であってもよい。なお、図７においては、図６と同じ構成であるものについては同じ符号を付し、説明を省略する。図７に示した構成においては、音響信号は抵抗器Ｒ５を介してアンプ部１３０に入力される。また、アンプ部１３０のグランドは、抵抗器Ｒ６を介して接地され、抵抗器Ｒ７を介してグランドＧＮＤに接続される。図６，７に示した構成によれば、カバー５０が破損して人体が電極２０に触れても、人体に流れる電流を抑えることができる。
【符号の説明】
【００３７】
１…静電型スピーカ、１０…振動体、２０，２０Ｕ，２０Ｌ…電極、３０，３０Ｕ，３０Ｌ…弾性部材、３１Ｕ，３１Ｌ…スペーサ、４０，４０Ｕ，４０Ｌ…スペーサ、５０，５０Ｕ，５０Ｌ…カバー、６０，６０Ｕ，６０Ｌ…保護部材、１００…駆動回路、１１０…変圧器、１１１…変圧器、１２０…バイアス電源、１３０…アンプ部、２００…ＡＣアダプタ、２０１…コンデンサ、２０２…交流プラグ
【図１】
0005545091.tif 000002
【図２】
0005545091.tif 000003
【図３】
0005545091.tif 000004
【図４】
0005545091.tif 000005
【図５】
0005545091.tif 000006
【図６】
0005545091.tif 000007
【図７】
0005545091.tif 000008